(57)【要約】  音響出力装置から出力される音声と外部の音声との良好な認識性を確保すると共に装着状態における違和感の発生を低減する。  内部にスピーカーが配置された筐体と、内部空間がスピーカーから出力される音声を導く音導空間として形成されると共に一端部が筐体に連結され他端部の開口から音導空間を導かれた音声が発せられる音導フックとを備え、音導フックが耳介の根元部分に装着され、音導フックは他端部が耳に非接触の状態とされる。これにより、スピーカーから出力された音声が音導フックを介して使用者に伝達されると共に音声が発せられる開口を有する他端部が耳に接触されない状態で装着されるため、音響出力装置から出力される音声と外部の音声との良好な認識性を確保することができると共に装着状態における違和感の発生を低減することができる。
2016067754.tif 000002
【特許請求の範囲】
【請求項１】
内部にスピーカーが配置された筐体と、
内部空間が前記スピーカーから出力される音声を導く音導空間として形成されると共に一端部が前記筐体に連結され他端部の開口から前記音導空間を導かれた音声が発せられる音導フックとを備え、
前記音導フックが耳介の根元部分に装着され、
前記音導フックは前記他端部が耳に非接触の状態とされる
音響出力装置。
【請求項２】
前記開口は前記耳介の内部空間に位置される
請求項１に記載の音響出力装置。
【請求項３】
前記開口は耳甲介腔に位置される
請求項１に記載の音響出力装置。
【請求項４】
前記開口は外耳道に位置される
請求項１に記載の音響出力装置。
【請求項５】
前記筐体は前記耳介の後側において頭部に接触された状態で位置される
請求項１に記載の音響出力装置。
【請求項６】
前記一端部は前記耳介の後側に位置され前記他端部は前記一端部の前側に位置される
請求項５に記載の音響出力装置。
【請求項７】
前記音導フックは前記筐体に対して軸回り方向へ回転可能とされた
請求項１に記載の音響出力装置。
【請求項８】
前記音導フックは屈曲可能とされた
請求項１に記載の音響出力装置。
【請求項９】
前記音導フックは前記他端部が他の部分に対して前記外耳道に近付く方向へ屈曲された
請求項１に記載の音響出力装置。
【請求項１０】
前記音導フックは前記筐体に対して側頭部に近付く方向へ傾斜された
請求項１に記載の音響出力装置。
【請求項１１】
前記筐体と前記音導フックがそれぞれ一対ずつ設けられ、
前記一対の筐体の内部にそれぞれ前記スピーカーが配置された
請求項１に記載の音響出力装置。
【請求項１２】
一方の前記筐体の内部に回路基板が配置され、
他方の前記筐体の内部に電池が配置された
請求項１１に記載の音響出力装置。
【請求項１３】
前記一対の筐体の間にケーブルが連結された
請求項１１に記載の音響出力装置。
【請求項１４】
前記筐体と前記音導フックがそれぞれ一つずつ設けられ、
前記筐体の内部に電池が配置された
請求項１に記載の音響出力装置。
【請求項１５】
使用者に装着された際に、前記筐体は少なくとも一部が前記耳介の後側において耳垂の側方に位置される
請求項１に記載の音響出力装置。
【請求項１６】
使用者に装着された際に、前記筐体は少なくとも一部が前記耳介の後側において耳垂の下端より下側に位置される
請求項１に記載の音響出力装置。
【発明の詳細な説明】
【技術分野】
【０００１】
本技術は内部にスピーカーが配置され耳に装着されて使用される音響出力装置についての技術分野に関する。
【先行技術文献】
【特許文献】
【０００２】
【特許文献１】特開２００４−２０８２２０
【特許文献２】特開２０１４−９６７３９
【背景技術】
【０００３】
頭部に装着されてヘッドホンやイヤホンとして使用されスピーカーから音声の出力が行われる音響出力装置がある。【０００４】
音響出力装置は、近年、室内で使用される態様の他に、室外で使用される態様も増加している。音響出力装置が室外で使用される場合には、使用者ばかりでなく使用者の周辺に存在する歩行者や運転者等の安全性をも考慮し、使用者において音響出力装置から出力される音声と外部の音声との双方の音声の聞き取りが可能とされていることが望ましい。【０００５】
このような音響出力装置から出力される音声と外部の音声との双方の音声の聞き取りが可能とされるタイプとして、各種の音響出力装置が開発されている（例えば、特許文献１及び特許文献２参照）。【０００６】
特許文献１に記載された音響出力装置にあっては、筐体（ハウジング）の内部に音声出力用のドライバーとして振動素子が配置され、振動素子に生じる振動が外耳道の周囲に存在する耳骨に伝達され、耳骨から頭蓋骨等を介して脳に伝達されて音声の認識が行われるように構成されている。【０００７】
この音響出力装置には筐体と振動子を貫通する貫通孔が形成されており、外部の音声が振動子の振動を遮ることなく貫通孔を通して使用者に伝達される。【０００８】
特許文献２に記載された音響出力装置にあっては、筐体が挿入部と伝達部材によって構成され、伝達部材の内部に音声出力用のドライバーとして電気音響変換素子と振動体が配置され、挿入部の内外において移動可能な栓が設けられている。挿入部には外部の音声の聞き取りを可能とする貫通孔が形成されている。【０００９】
この音響出力装置は、挿入部の一部が外耳道に挿入され、伝達部材が挿入部の前側において耳珠及び対耳珠に接した状態で耳に装着される。電気音響変換素子に生じる振動は振動体から伝達部材に伝達され、伝達された振動が耳骨から頭蓋骨等を介して脳に伝達されて音声の認識が行われる。外部の音声は栓と鼓膜の間の空間にまで振動して使用者に伝達され、このとき栓を移動させることにより外部の音声の聞こえ方を変化させることが可能とされている。
【発明の概要】
【発明が解決しようとする課題】
【００１０】
上記のように、特許文献１及び特許文献２に記載された音響出力装置にあっては、耳骨に振動が伝達されて音声の認識が行われる所謂骨伝導方式とされているが、骨伝導方式の音響出力装置は、音声領域における低域の再現性が低く、低音の聞き取りを行い難いという不都合がある。【００１１】
このような低域の再現性を高くするために、音声出力用のドライバーとしてダイナミック型を用いることが考慮されるが、このようなドライバーを耳介の前側に位置させると頭部伝達関数の変化により外部の音声の聞こえ方に変化が生じ、外部の音声の発生方向や発生位置を正しく認識することが困難になるおそれがある。【００１２】
また、少なくとも一部を外耳道に挿入して使用する音響出力装置にあっては、低音の再現性が低くなると共に外耳道を閉塞することにより頭部伝達関数が変化して外部の音声を正しく認識することが困難になるおそれもある。【００１３】
さらに、少なくとも一部を外耳道に挿入したり一部を耳珠等に接触させたりする音響出力装置の場合には、音響出力装置を装着した状態において違和感を生じることも少なくない。【００１４】
そこで、本技術音響出力装置は、上記した問題点を克服し、音響出力装置から出力される音声と外部の音声との良好な認識性を確保すること及び／又は装着状態における違和感の発生を低減することを目的とする。
【課題を解決するための手段】
【００１５】
第１に、本技術に係る音響出力装置は、内部にスピーカーが配置された筐体と、内部空間が前記スピーカーから出力される音声を導く音導空間として形成されると共に一端部が前記筐体に連結され他端部の開口から前記音導空間を導かれた音声が発せられる音導フックとを備え、前記音導フックが耳介の根元部分に装着され、前記音導フックは前記他端部が耳に非接触の状態とされるものである。【００１６】
これにより、スピーカーから出力された音声が音導フックを介して使用者に伝達されると共に音声が発せられる開口を有する他端部が耳に接触されない状態で装着される。【００１７】
第２に、上記した音響出力装置においては、前記開口は前記耳介の内部空間に位置されることが望ましい。【００１８】
これにより、開口が外耳道に近付いて位置される。【００１９】
第３に、上記した音響出力装置においては、前記開口は耳甲介腔に位置されることが望ましい。【００２０】
これにより、開口が外耳道に近付いて位置される。【００２１】
第４に、上記した音響出力装置においては、前記開口は外耳道に位置されることが望ましい。【００２２】
これにより、開口が鼓膜に近付いて位置される。【００２３】
第５に、上記した音響出力装置においては、前記筐体は前記耳介の後側において頭部に接触された状態で位置されることが望ましい。【００２４】
これにより、音導フックとともに筐体が頭部に接触された状態で音響出力装置が耳に装着される。【００２５】
第６に、上記した音響出力装置においては、前記一端部は前記耳介の後側に位置され前記他端部が前記一端部の前側に位置されることが望ましい。【００２６】
これにより、筐体が耳介の後側に位置される。【００２７】
第７に、上記した音響出力装置においては、前記音導フックは前記筐体に対して軸回り方向へ回転可能とされることが望ましい。【００２８】
これにより、耳への装着時に耳の形や大きさによって音導フックの位置を調整することが可能になる。【００２９】
第８に、上記した音響出力装置においては、前記音導フックは屈曲可能とされることが望ましい。【００３０】
これにより、音導フックの耳への装着時に耳の形や大きさに応じて音導フックを変形することが可能になる。【００３１】
第９に、上記した音響出力装置においては、前記音導フックは前記他端部が他の部分に対して前記外耳道に近付く方向へ屈曲されることが望ましい。【００３２】
これにより、音導フックが耳に装着されたときに音声の発せられる位置が自然に外耳道の近傍に存在する。【００３３】
第１０に、上記した音響出力装置においては、前記音導フックは前記筐体に対して側頭部に近付く方向へ傾斜されることが望ましい。【００３４】
これにより、音導フックが耳に装着されたときに音導フックが側頭部に接した状態になる。【００３５】
第１１に、上記した音響出力装置においては、前記筐体と前記音導フックがそれぞれ一対ずつ設けられ、前記一対の筐体の内部にそれぞれ前記スピーカーが配置されることが望ましい。【００３６】
これにより、音響出力装置がステレオタイプとして機能すると共に一対の筐体において重量的に良好なバランスが確保される。【００３７】
第１２に、上記した音響出力装置においては、一方の前記筐体の内部に回路基板が配置され、他方の前記筐体の内部に電池が配置されることが望ましい。【００３８】
これにより、音響出力装置における耳に装着される両側の部分の重量の差が低減され、重量的に良好なバランスが確保される。【００３９】
第１３に、上記した音響出力装置においては、前記一対の筐体の間にケーブルが連結されることが望ましい。【００４０】
これにより、ケーブルによって両方のスピーカーに対する音声信号の送出及び電流の供給を行うことが可能になる。【００４１】
第１４に、上記した音響出力装置においては、前記筐体と前記音導フックがそれぞれ一つずつ設けられ、前記筐体の内部に電池が配置されることが望ましい。【００４２】
これにより、片側の耳に音導フックを装着して使用することが可能になる。【００４３】
第１５に、上記した音響出力装置においては、使用者に装着された際に、前記筐体は少なくとも一部が前記耳介の後側において耳垂の側方に位置されることが望ましい。【００４４】
これにより、筐体が耳介の後側において耳の下端側に位置される。【００４５】
第１６に、上記した音響出力装置においては、使用者に装着された際に、前記筐体は少なくとも一部が前記耳介の後側において耳垂の下端より下側に位置されることが望ましい。【００４６】
これにより、筐体が耳介の後側において耳の下端側に位置される。
【発明の効果】
【００４７】
本技術によれば、スピーカーから出力された音声が音導フックを介して使用者に伝達されると共に音声が発せられる開口を有する他端部が耳に接触されない状態で装着されるため、音響出力装置から出力される音声と外部の音声との良好な認識性を確保することができ、装着状態における違和感の発生を低減することができる。【００４８】
尚、本明細書に記載された効果はあくまでも例示であって限定されるものではなく、他の効果があってもよい。
【図面の簡単な説明】
【００４９】
【図１】図２乃至図１０と共に本技術音響出力装置の実施の形態を示すものであり、本図は、音響出力装置が装着される耳の正面図である。
【図２】図１のＩＩ−ＩＩ線に沿う断面図である。
【図３】音響出力装置の斜視図である。
【図４】音響出力装置を一部を断面にして示す正面図である。
【図５】音響出力装置が耳に装着された状態を示す背面図である。
【図６】音響出力装置が耳に装着され音導フックの開口が外耳道に位置された状態を一部を断面にして示す正面図である。
【図７】音導フックの開口が外耳道に位置された状態を示す断面図である。
【図８】音響出力装置が耳に装着され音導フックの開口が耳甲介腔に位置された状態を一部を断面にして示す正面図である。
【図９】音響出力装置が耳に装着され音導フックの開口が耳介の内側空間において外耳道及び耳甲介腔から離れて位置された状態を一部を断面にして示す正面図である。
【図１０】音響出力装置の別の例を示す斜視図である。
【発明を実施するための形態】
【００５０】
以下に、本技術音響出力装置を実施するための形態を添付図面に従って説明する。
【００５１】
以下に示した実施の形態は、本技術音響出力装置をイヤホンに適用したものである。但し、本技術の適用範囲はイヤホンに限られることはなく、ヘッドホン等の他の各種の音響出力装置に広く適用することができる。
【００５２】
［耳の構造］
先ず、音響出力装置が装着される耳の構造について説明する（図１及び図２参照）。
【００５３】
耳１００、１００は頭部２００の一部とされており、それぞれ耳介１０１、１０１と頭部２００の内部に存在する鼓膜や三半規管や蝸牛等の各部とから成る。頭部２００のうち耳介１０１、１０１の内側の部分はそれぞれ側頭部２０１、２０１であり、耳介１０１、１０１は側頭部２０１、２０１から左方又は右方に突出されている。
【００５４】
耳介１０１は内側空間１５０を有するように全体として略前方に開口された浅い凹状にされ、外周部が耳輪１０２と称される部分と耳輪１０２に連続され側頭部２０１の近傍に位置された耳輪脚１０３と称される部分とを有している。
【００５５】
耳輪１０２の内側の部分は凹状の舟状窩１０４と称され、舟状窩１０４の内側における下側略半分の部分は凸状の対耳輪１０５と称される。対耳輪１０５の上方には対耳輪１０５に連続して二股状の凸状の部分が存在し、この二股状の部分のうちの外側の部分と内側の部分がそれぞれ対耳輪上脚１０６と対耳輪下脚１０７と称される。対耳輪上脚１０６と対耳輪下脚１０７の間の部分は凹状の三角窩１０８と称され、対耳輪１０５及び対耳輪下脚１０７の内側の部分は凹状の耳甲介艇１０９と称される。
【００５６】
対耳輪１０５の下側に連続する部分は側頭部２０１側に稍膨出され、対耳珠１１０と称される部分である。対耳珠１１０に対向する側頭部２０１側の部分は対耳珠１１０側に稍膨出された耳珠１１１と称され、耳輪１０２の下側に連続する下端部が耳垂１１２と称される。
【００５７】
対耳珠１１０と耳珠１１１の間の部分には外耳道１１３の入口である外耳孔１１３ａが存在し、外耳道１１３は鼓膜や三半規管等に連通されている。耳介１０１の内側空間１５０のうち、対耳輪１０５と対耳輪下脚１０７と耳輪脚１０３によって囲まれた空間、即ち、耳甲介艇１０９の前側の空間は耳甲介腔１１４と称され、外耳道１１３の外耳孔１１３ａに連通されている。内側空間１５０のうち耳甲介腔１１４の下側に連続しＵ字状に開いた空間は珠間切痕１１５と称される空間である。
【００５８】
耳介１０１の内側空間１５０は耳甲介腔１１４と珠間切痕１１５と外耳道１１３の外耳孔１１３ａ付近の空間とを含み、舟状窩１０４、対耳輪１０５、対耳輪上脚１０６、対耳輪下脚１０７、三角窩１０８、対耳珠１１０及び耳珠１１１の前側の空間をも含む空間である。
【００５９】
［音響出力装置の概略構成］
次に、音響出力装置の構成について説明する（図３及び図４参照）。
【００６０】
音響出力装置１は筐体２、２と音導フック３、３とケーブル４を有している。
【００６１】
筐体２、２間にはケーブル４が連結されている。筐体２は、例えば、円筒状に形成された筒状部５と筒状部５の軸方向における一端部を閉塞する底面部６と筒状部５の軸方向における他端部を閉塞する蓋部７とを有している。蓋部７には筒状部５の軸方向に貫通された挿通孔７ａが形成されている。
【００６２】
筐体２、２の内部にはそれぞれスピーカー８、８が配置されている（図４参照）。スピーカー８としては、例えば、ダイナミック型のドライバーユニットが採用されていてもよい。
【００６３】
一方の筐体２の内部にはスピーカー８とともに回路基板９が配置され、回路基板９にはスピーカー８、８を動作させる駆動回路や無線通信用の通信用回路が形成されている。従って、音響出力装置１は無線通信によって音楽プレーヤー等の他の機器からの音声信号を受信し、受信した音声信号を変換してスピーカー８、８から音声として出力することや、音楽プレーヤーとの接続認証等のペアリング処理が可能とされている。音声信号を受信するための無線通信としては、例えば、ブルートゥース（Bluetooth）やＷiＦi（Wireless Fidelity）、接続認証等のペアリング処理用の無線通信としてのＮＦＣ（Near Field Communication）等の近距離無線通信に対応したものであってもよい。
【００６４】
他方の筐体２の内部にはスピーカー８とともに電池（バッテリー）１０が配置されている。電池１０としては、使い捨てタイプであってもよく、充電可能なタイプであってもよい。特に、電池１０が使い捨てタイプである場合には、筐体２の一部が開閉可能とされ、電池１０の交換が可能な構成にされていることが望ましい。また、電池１０が充電可能なタイプである場合にも筐体２の一部が開閉可能とされ、電池１０の交換が可能とされていてもよい。
【００６５】
電池１０の電力はスピーカー８、８と回路基板９に供給されてスピーカー８、８と回路基板９が動作される。一方の筐体２の内部に配置されたスピーカー８と回路基板９への電池１０からの電力の供給はケーブル４を介して行われる。
【００６６】
従って、ケーブル４の内部には電力を供給するための電線が配設されている。また、ケーブル４の内部には音声信号や他の各種の信号を送受信するための信号線も配設されており、信号線によって一方の筐体２の内部に配置された回路基板９から他方の筐体２の内部に配置されたスピーカー８への音声信号の出力等が行われる。
【００６７】
ケーブル４は両端部が筐体２、２の筒状部５、５を介して筐体２、２の内部に配置された各部に接続されている。ケーブル４の両端部には他の部分より径が大きくされた連結筒部４ａ、４ａが設けられ（図３参照）、連結筒部４ａ、４ａがそれぞれ筒状部５、５の外周面に結合されている。連結筒部４ａ、４ａによってケーブル４の両端部の剛性が高くされ、ケーブル４と筒状部５、５の安定した結合状態が確保されている。
【００６８】
尚、筐体２、２の一方又は双方には、例えば、ＵＳＢ（Universal Serial Bus）端子や充電端子等の各種の接続端子、マイクロフォン用の音声入力孔等が形成されていてもよい。筐体２に接続端子が形成されている場合には、接続端子が形成された筐体２の内部に、接続端子に対応する回路が配置される。また、筐体２にマイクロフォン用の音声入力孔が形成されている場合には、音声入力孔が形成された筐体２の内部に、マイクロフォンが配置される。
【００６９】
音導フック３は、例えば、アルミニウム等の金属材料によって筒状に形成された部分の外周面にシリコン等のゴム材料や樹脂材料によって形成された部分が被覆されることにより構成されている。音導フック３の内周側の部分を金属材料によって形成することにより、スピーカー８から出力された音声が質の低下を来すことなく効率よく音導フック３の内部を伝達される。特に、音導フック３は使用者の耳１００に装着される部分であり、金属材料としてアルミニウムを用いることにより音導フック３の軽量化が図られ、音導フック３が耳１００に装着されたときの使用者への負担が小さくなり、音響出力装置１の良好な装着感を確保することができる。
【００７０】
また、音導フック３の外周側の部分をゴム材料や樹脂材料によって形成することにより、音導フック３が耳１００にフィットした状態で装着され、音響出力装置１の良好な装着感を確保することができる。
【００７１】
尚、上記には、音導フック３が内周側の部分と外周側の部分とを有する２層構造に形成された例を示したが、音導フック３は単層構造であってもよく、また、３層以上の構造にされていてもよい。音導フック３が、例えば、単層構造にされている場合には、音導フック３を形成する材料として金属材料、ゴム材料又は樹脂材料の何れの材料が用いられていてもよい。
【００７２】
音導フック３は内部空間がスピーカー８から出力された音声を導く音導空間３ａとされている（図４参照）。音導フック３は、図３及び図４に示すように、一端部が連結部１１として設けられ、他端部が屈曲部１２として設けられ、連結部１１と屈曲部１２の間の部分が中間部１３として設けられている。
【００７３】
連結部１１は屈曲部１２及び中間部１３より径が一回り大きくされた円筒状の基部１４と基部１４における中間部１３の反対側の端面に連続された連結板部１５とから成る。連結板部１５は厚みの薄い略円環状に形成され、外方に開口された円環状の被支持溝１５ａを有している。
【００７４】
上記したように、音導フック３は基部１４が屈曲部１２及び中間部１３より径が一回り大きくされているため、筐体２に連結される部分の剛性が高くされ、音導フック３と筐体２の安定した結合状態が確保されている。
【００７５】
音導フック３は連結板部１５の被支持溝１５ａに筐体２の蓋部７の一部が挿入されることにより、筐体２に対して軸回り方向へ回転可能とされている。尚、蓋部７と連結板部１５の間には一定のフリクションが作用するように構成されているため、音導フック３が筐体２に対して回転されたときには、音導フック３が筐体２に対して回転されて停止された位置に保持される。
【００７６】
音導フック３における連結部１１の基部１４は筐体２における筒状部５の軸方向に対して傾斜されている（図４参照）。基部１４は、音導フック３が耳１００に装着される状態において、筒状部５の軸方向に対して側頭部２０１側に傾斜されている。
【００７７】
屈曲部１２は中間部１３に対して屈曲され、音導フック３が耳１００に装着される状態において、中間部１３から離隔するに従って側頭部２０１に近付く方向へ傾斜されている。屈曲部１２は音導フック３が耳１００に装着された状態において外耳道１１３に最も近付いて位置される部分である。屈曲部１２の先端の開口１２ａからは、スピーカー８から出力されて音導空間３ａを導かれた音声が発せられる。
【００７８】
中間部１３は全体として曲線状に形成され、筒状部５の軸方向に対して基部１４と同じ方向及び同じ角度で傾斜されている。従って、中間部１３は、音導フック３が耳１００に装着される状態において、屈曲部１２に近付くに従って側頭部２０１に近付く方向へ傾斜されている。
【００７９】
尚、音導フック３は屈曲可能な構造に形成されていてもよい。音導フック３が屈曲可能とされることにより、音導フック３の耳１００への装着時に耳１００の形や大きさに応じて音導フック３を変形することが可能になり、音響出力装置１を安定した状態で耳１００に装着することができると共に外耳道１１３に最も近付いて位置される屈曲部１２を音声の聞き取り易い所望の位置に位置させることができる。
【００８０】
音導フック３が屈曲可能な構造に形成された場合には、音導フック３が屈曲された状態の形状が保持されるように構成されることが望ましい。
【００８１】
また、音響出力装置１は、音導フック３が筐体２に対して軸回り方向へ回転可能とされているため、耳１００への装着時に耳１００の形や大きさによって音導フック３の位置を調整することが可能になり、音響出力装置１を安定した状態で耳１００に装着することができると共に屈曲部１２を音声の聞き取り易い所望の位置に位置させることができる。
【００８２】
上記したように、音響出力装置１は、それぞれ一対の筐体２、２と音導フック３、３を有し、筐体２、２の内部にそれぞれスピーカー８、８が配置されている。
【００８３】
従って、音響出力装置１がステレオタイプとして機能し、音響出力装置１の機能性の向上が図られ良質の音声を聞き取ることができる。また、筐体２、２の内部にそれぞれスピーカー８、８が配置されているため、重量的に良好なバランスが確保され、音響出力装置１を安定した状態で耳１００に装着することができる。
【００８４】
また、音響出力装置１にあっては、一方の筐体２の内部に回路基板９が配置され、他方の筐体２の内部に電池１０が配置されている。従って、音響出力装置１における耳１００、１００に装着される両側の部分の重量の差が低減され、重量的に良好なバランスが確保され、音響出力装置１を安定した状態で耳１００に装着することができる。
【００８５】
さらに、筐体２、２がケーブル４によって接続されているため、ケーブル４によって両方のスピーカー８、８に対する音声信号の送出及び電流の供給を行うことが可能になり、音響出力装置１の良好な機能性を確保することができる。
【００８６】
［音響出力装置の耳に対する装着状態］
以下に、音響出力装置１の耳１００、１００に対する装着状態について説明する（図５乃至図９参照）。
【００８７】
音響出力装置１は、筐体２、２がそれぞれ頭部２００のうち耳介１０１、１０１の根元部分、即ち、耳介１０１、１０１と側頭部２０１、２０１の境界部分又はその周辺部分に耳介１０１、１０１の後側から押し当てられる（図５参照）。ケーブル４は頭部２００の後方に位置される。
【００８８】
音導フック３、３は、図５及び図６に示すように、中間部１３、１３がそれぞれ耳介１０１、１０１の根元部分に上方から装着され、連結部１１、１１がそれぞれ耳介１０１、１０１の後側に位置され、屈曲部１２、１２がそれぞれ耳介１０１、１０１の前側に位置される。このとき屈曲部１２、１２はそれぞれ耳介１０１、１０１に非接触の状態で少なくとも一部が耳介１０１、１０１の内側空間１５０、１５０に位置される（図６参照）。このとき屈曲部１２、１２はそれぞれ開口１２ａ、１２ａが外耳道１１３、１１３の外耳孔１１３ａ、１１３ａ付近に外耳孔１１３ａ、１１３ａの全体を塞ぐことなく位置される（図６及び図７参照）。
【００８９】
尚、音響出力装置１が頭部２００に装着された状態において、音導フック３、３における屈曲部１２、１２の開口１２ａ、１２ａがそれぞれ耳甲介腔１１４、１１４に位置されてもよい（図８参照）。
【００９０】
また、屈曲部１２、１２の開口１２ａ、１２ａはそれぞれ外耳道１１３、１１３又は耳甲介腔１１４、１１４に位置されていなくてもよく、耳介１０１、１０１の内側空間１５０、１５０に位置されていれば外耳道１１３、１１３及び耳甲介腔１１４、１１４から離れて位置されていてもよい（図９参照）。
【００９１】
尚、使用者の耳１００の形状や大きさによっては、屈曲部１２、１２の開口１２ａ、１２ａは耳介１０１、１０１の内部空間１５０、１５０の外側に位置されていてもよい。
【００９２】
上記のように、音響出力装置１は耳１００に装着された状態において、筐体２、２がそれぞれ耳介１０１、１０１の後側において頭部２００に接触された状態で位置される。
【００９３】
従って、音導フック３、３とともに筐体２、２が頭部２００に接触された状態で音響出力装置１が耳１００、１００に装着されるため、音響出力装置１を安定した状態で耳１００、１００に装着することができる。
【００９４】
また、音導フック３、３は連結部１１、１１がそれぞれ耳介１０１、１０１の後側に位置され屈曲部１２、１２がそれぞれ連結部１１、１１の前側に位置される。
【００９５】
従って、筐体２、２が耳介１０１、１０１の後側に位置されるため耳介１０１、１０１の前側には音導フック３、３の一部のみしか存在せず、音響出力装置１を違和感なく耳１００、１００に装着することができる。
【００９６】
さらに、耳介１０１、１０１の前側に筐体２、２が存在しないため、耳介１０１、１０１の前側に存在する構造物が小さくなり、頭部伝達関数への影響が抑制されて空間知覚能力の低下を抑制することができる。
【００９７】
加えて、屈曲部１２、１２が外耳道１１３、１１３の近傍又は外耳道１１３、１１３の外耳孔１１３ａ、１１３ａ付近に位置される場合には、音声の発せられる位置が外耳道１１３、１１３の近傍に存在するため、音声を良好に聞き取ることができる。
【００９８】
尚、音響出力装置１が使用者の頭部２００に装着された状態においては、筐体２は少なくとも一部が耳介１０１の後側において耳垂１１２の側方に位置されていることが望ましい（図５参照）。
【００９９】
筐体２の少なくとも一部が耳介１０１の後側において耳垂１１２の側方に位置されることにより、筐体２が耳介１０１の根元部分において耳１００の下端側に位置されるため、音響出力装置１を安定した状態で頭部２００に装着することができる。
【０１００】
また、音響出力装置１が使用者の頭部２００に装着された状態において、筐体２は少なくとも一部が耳介１０１の後側において耳垂１１２の下端より下側に位置されていてもよい。
【０１０１】
筐体２の少なくとも一部が耳介１０１の後側において耳垂１１２の下端より下側に位置されることにより、筐体２が耳１００の下端側に位置されるため、音響出力装置１を安定した状態で頭部２００に装着することができる。
【０１０２】
［音響出力装置の他の例］
上記には、それぞれ一対の筐体２、２と音導フック３、３を有する音響出力装置１の例を示したが、例えば、以下のように、一つずつの筐体２と音導フック３を有する音響出力装置１Ａを用いることも可能である（図１０参照）。
【０１０３】
尚、以下に示す音響出力装置１Ａは、上記した音響出力装置１と比較して、筐体と音導フックの数が異なりケーブルが設けられていないこと及び筐体の内部構造が異なることのみが相違するため、音響出力装置１と比較して異なる部分についてのみ詳細に説明をし、その他の部分については音響出力装置１における同様の部分に付した符号と同じ符号を付して説明は省略する。
【０１０４】
音響出力装置１Ａは一つずつの筐体２と音導フック３を有している。
【０１０５】
筐体２の内部にはそれぞれスピーカー８と回路基板９と電池１０が配置されている。回路基板９と電池１０は何れがスピーカー８側に配置されていてもよい。電池１０の電力はスピーカー８と回路基板９に供給されてスピーカー８と回路基板９が駆動される。
【０１０６】
尚、筐体２には、例えば、ＵＳＢ（Universal Serial Bus）端子や充電端子等の各種の接続端子、マイクロフォン用の音声入力孔等が形成されていてもよい。筐体２に接続端子が形成されている場合には筐体２の内部に接続端子に対応する回路が配置され、筐体２にマイクロフォン用の音声入力孔が形成されている場合には筐体２の内部にマイクロフォンが配置される。
【０１０７】
音響出力装置１Ａは、筐体２が頭部２００のうち左側又は右側の耳介１０１の根元部分、即ち、耳介１０１と側頭部２０１の境界部分又はその周辺部分に耳介１０１の後側から押し当てられる。
【０１０８】
音導フック３は中間部１３が耳介１０１の根元部分に上方から装着され、連結部１１が耳介１０１の後側に位置され、屈曲部１２が耳介１０１の前側に位置される。このとき屈曲部１２は耳介１０１に非接触の状態で少なくとも一部が耳介１０１の内部空間１５０に位置され、開口１２ａが耳甲介腔１１４又は外耳道１１３に位置される。
【０１０９】
但し、屈曲部１２は開口１２ａが耳甲介腔１１４又は外耳道１１３に位置されていなくてもよく、内部空間１５０に位置されていれば外耳道１１３及び耳甲介腔１１４から離れて位置されていてもよい。
【０１１０】
尚、使用者の耳１００の形状や大きさによっては、屈曲部１２、１２の開口１２ａ、１２ａは耳介１０１、１０１の内部空間１５０、１５０の外側に位置されていてもよい。
【０１１１】
また、音響出力装置１Ａにあっても、音響出力装置１と同様に、使用者の頭部２００に装着された状態において、筐体２は少なくとも一部が、耳介１０１の後側において耳垂１１２の側方に位置されていてもよく、また、耳介１０１の後側において耳垂１１２の下端より下側に位置されていてもよい。
【０１１２】
上記したように、音響出力装置１Ａは、一つずつの筐体２と音導フック３が設けられ、筐体２の内部に電池１０が配置されている。
【０１１３】
従って、片側の耳１００に音導フック３を装着して使用することが可能になり、音響出力装置１Ａの耳１００に対する装着が容易になり使い勝手の向上を図ることができる。
【０１１４】
また、片側の耳１００にのみ装着されるため、耳１００に装着されたときの使用者への負担が小さくなり、音響出力装置１Ａの良好な装着感を確保することができる。
【０１１５】
［まとめ］
以上に記載した通り、音響出力装置１、１Ａにあっては、内部にスピーカー８が配置された筐体２と、一端部である連結部１１が筐体２に連結され他端部である屈曲部１２の開口１２ａから音導空間３ａを導かれた音声が発せられる音導フック３とを有し、音導フックが耳介１０１の根元部分に装着され、屈曲部１２が耳１００に非接触の状態とされる。
【０１１６】
従って、スピーカー８から出力された音声が音導フック３を介して使用者に伝達されると共に音導フック３の他端部である屈曲部１２が耳１００に接触されない状態で装着されるため、スピーカー８から出力される音声と外部の音声との良好な認識性を確保することができ、装着状態における違和感の発生を低減することができる。
【０１１７】
特に、音響出力装置１、１Ａにあっては、スピーカー８から出力された音声が音導フック３の音導空間３ａを導かれて認識され、耳骨に振動が伝達されて音声の認識が行われる骨伝導方式にはされていないため、音声領域における低域の再現性も高くなり、低音の聞き取りも行い易くなる。
【０１１８】
また、音導フック３の他端部である屈曲部１２が外耳道１１３を閉塞する構成にはされていないため、低音の良好な再現性を確保することができると共に頭部伝達関数が変化し難く外部の音声を正しく認識することができる。
【０１１９】
さらに、音響出力装置１、１Ａが頭部２００に装着された状態において、屈曲部１２の開口１２ａが耳介１０１の内部空間１５０に位置されている場合には、開口１２ａが外耳道１１３に近付いて位置されるため、スピーカー８から出力される音声と外部の音声との良好な認識性を確保することができる。
【０１２０】
また、音響出力装置１、１Ａが頭部２００に装着された状態において、屈曲部１２の開口１２ａが耳甲介腔１１４に位置される場合には、開口１２ａが外耳道１１３に一層近付いて位置されるため、スピーカー８から出力される音声と外部の音声との一層良好な認識性を確保することができる。
【０１２１】
さらに、音響出力装置１、１Ａが頭部２００に装着された状態において、屈曲部１２の開口１２ａが外耳道１１３に位置される場合には、開口１２ａが鼓膜に近付いて位置されるため、スピーカー８から出力される音声と外部の音声とのより一層良好な認識性を確保することができる。
【０１２２】
さらにまた、音響出力装置１、１Ａにあっては、音導フック３は屈曲部１２が他の部分に対して外耳道１１３に近付く方向に屈曲されているため、音導フック３が耳１００に装着されたときに音声の発せられる位置が自然に外耳道１１３の近傍に存在することになり、音声を良好に聞き取ることができる。
【０１２３】
加えて、音響出力装置１、１Ａにあっては、音導フック３が筐体２に対して側頭部２０１に近付く方向へ傾斜されているため、音導フック３が耳１００に装着されたときに音導フック３が側頭部２０１に接した状態になり、音響出力装置１、１Ａを安定した状態で耳１００に装着することができる。
【０１２４】
［本技術］
本技術は、以下のような構成にすることができる。
【０１２５】
（１）
内部にスピーカーが配置された筐体と、
内部空間が前記スピーカーから出力される音声を導く音導空間として形成されると共に一端部が前記筐体に連結され他端部の開口から前記音導空間を導かれた音声が発せられる音導フックとを備え、
前記音導フックが耳介の根元部分に装着され、
前記音導フックは前記他端部が耳に非接触の状態とされる
音響出力装置。
【０１２６】
（２）
前記開口は前記耳介の内部空間に位置される
前記（１）に記載の音響出力装置。
【０１２７】
（３）
前記開口は耳甲介腔に位置される
前記（１）に記載の音響出力装置。
【０１２８】
（４）
前記開口は外耳道に位置される
前記（１）に記載の音響出力装置。
【０１２９】
（５）
前記筐体は前記耳介の後側において頭部に接触された状態で位置される
前記（１）から前記（４）の何れかに記載の音響出力装置。
【０１３０】
（６）
前記一端部は前記耳介の後側に位置され前記他端部が前記一端部の前側に位置される
前記（５）に記載の音響出力装置。
【０１３１】
（７）
前記音導フックは前記筐体に対して軸回り方向へ回転可能とされた
前記（１）から前記（６）の何れかに記載の音響出力装置。
【０１３２】
（８）
前記音導フックは屈曲可能とされた
前記（１）から前記（７）の何れかに記載の音響出力装置。
【０１３３】
（９）
前記音導フックは前記他端部が他の部分に対して前記外耳道に近付く方向へ屈曲された
前記（１）から前記（８）の何れかに記載の音響出力装置。
【０１３４】
（１０）
前記音導フックは前記筐体に対して側頭部に近付く方向へ傾斜された
前記（１）から前記（９）の何れかに記載の音響出力装置。
【０１３５】
（１１）
前記筐体と前記音導フックがそれぞれ一対ずつ設けられ、
前記一対の筐体の内部にそれぞれ前記スピーカーが配置された
前記（１）から前記（１０）の何れかに記載の音響出力装置。
【０１３６】
（１２）
一方の前記筐体の内部に回路基板が配置され、
他方の前記筐体の内部に電池が配置された
前記（１１）に記載の音響出力装置。
【０１３７】
（１３）
前記一対の筐体の間にケーブルが連結された
前記（１１）又は前記（１２）に記載の音響出力装置。
【０１３８】
（１４）
前記筐体と前記音導フックがそれぞれ一つずつ設けられ、
前記筐体の内部に電池が配置された
前記（１）から前記（１０）の何れかに記載の音響出力装置。
【０１３９】
（１５）
使用者に装着された際に、前記筐体は少なくとも一部が前記耳介の後側において耳垂の側方に位置される
前記（１）から前記（１４）の何れかに記載の音響出力装置。
【０１４０】
（１６）
使用者に装着された際に、前記筐体は少なくとも一部が前記耳介の後側において耳垂の下端より下側に位置される
前記（１）から前記（１５）の何れかに記載の音響出力装置。
【符号の説明】
【０１４１】
２００…頭部、２０１…側頭部、１００…耳、１０１…耳介、１１２…耳垂、１５０…内側空間、１１３…外耳道、１１４…耳甲介腔、１…音響出力装置、２…筐体、３…音導フック、３ａ…音導空間、４…ケーブル、８…スピーカー、９…回路基板、１０…電池、１１…連結部（一端部）、１２…屈曲部（他端部）、１２ａ…開口、１Ａ…音響出力装置
【図１】
2016067754.tif 000003
【図２】
2016067754.tif 000004
【図３】
2016067754.tif 000005
【図４】
2016067754.tif 000006
【図５】
2016067754.tif 000007
【図６】
2016067754.tif 000008
【図７】
2016067754.tif 000009
【図８】
2016067754.tif 000010
【図９】
2016067754.tif 000011
【図１０】
2016067754.tif 000012
【国際調査報告】
2016067754.tif 000013
2016067754.tif 000014